(57)【要約】【課題】小型で安価で効率のよい接続性を有する無線装置を提供する。【解決手段】分離手段としての４端子サーキュレータ１１が送信信号を送信手段２１より送受信共用アンテナ１３へ伝達し、受信信号を送受信共用アンテナ１３より受信手段２２へと伝達する方向性を有することで、高価なデュプレクサーを用いることなく、近傍周波数の送受信信号を分離することができ、小型で安価で効率のよい接続性を有する無線装置の提供を実現することができる。【選択図】図１
2007274465.tif 000002
【特許請求の範囲】
【請求項１】
送信手段と、受信手段と、送受信信号を分離する分離手段とを備えた無線装置において、
前記分離手段は、送信信号を前記送信手段よりアンテナへ伝達し、受信信号を該アンテナより前記受信手段へ伝達する方向性を有することを特徴とする無線装置。
【請求項２】
送信手段と、受信手段と、送受信信号を分離する分離手段とを備えた無線装置において、
前記分離手段は、送信信号を送信端子よりアンテナへ伝達し、受信信号を該アンテナより受信端子へ伝達する方向性を有し、かつ前記送受信信号の反射信号に相対するブロックが影響されないように前記受信端子と前記送信端子との間の端子に終端抵抗器が接続された４端子サーキュレータを有することを特徴とする無線装置。
【請求項３】
送信手段と、受信手段と、送受信信号を分離する分離手段とを備えた無線装置において、
前記分離手段は、送信信号を送信端子よりアンテナへ伝達し、受信信号を該アンテナより受信端子へ伝達する方向性を有し、かつ前記送受信信号の反射信号に相対するブロックが影響されないように前記受信端子と前記送信端子との間の端子に終端抵抗器が接続された４端子サーキュレータと、前記受信手段への前記受信信号を透過するフィルタとを有することを特徴とする無線装置。
【請求項４】
送信手段と、受信手段と、送受信信号を分離する分離手段とを備えた無線装置において、
前記分離手段は、送信信号を送信端子よりアンテナへ伝達し、受信信号を該アンテナより受信端子へ伝達する方向性を有し、かつ前記送受信信号の反射信号に相対するブロックが影響されないように前記受信端子と前記送信端子との間の端子に終端抵抗器が接続された４端子サーキュレータと、前記受信手段への前記受信信号を透過する受信側フィルタと、前記送信手段からの送信信号を透過する送信側フィルタとを有することを特徴とする無線装置。
【請求項５】
前記送信手段は、送信周波数の異なる複数の送信回路部を有し、前記受信手段は、受信周波数の異なる複数の受信回路部を有することを特徴とする請求項１から４のいずれか１項記載の無線装置。
【請求項６】
前記分離手段は、前記受信手段の入力部にアイソレータが接続されていることを特徴とする請求項１から５のいずれか１項記載の無線装置。
【発明の詳細な説明】
【技術分野】
【０００１】
本発明は、無線装置に関し、特に同時送受信が可能な無線装置に関する。
【背景技術】
【０００２】
最近の携帯端末の中には、ＣＤＭＡ(Code Division Multi Access：符号分割多元接続方式)等送受信動作を同時に行うものがある。この種の携帯端末の送受信方式は、図４、図５に示すように送受信共用アンテナと、その送受信共用アンテナに接続された送受信分離のためのデュプレクサーと、送信回路部と、受信回路部とが接続された構成となっている。このデュプレクサーの機能は一般的なものであり、互いに送信周波数の信号と受信周波数の信号のみ通過させるフィルタが組み合わされたものである（例えば、特許文献１参照）。
【０００３】
図４は、無線装置の従来例を示すブロック図である。図５は、無線装置の他の従来例を示すブロック図である。
図４に示す無線装置は、デュプレクサー１と、デュプレクサー１のアンテナ端子に接続された送受信共用アンテナ１３と、送信回路部１２−１と、入力端が送信回路部１２−１の出力端に接続されたパワーアンプ１７と、入力端がパワーアンプ１７の出力端に接続され出力端がデュプレクサー１の入力端に接続されたアイソレータ２３と、入力端がデュプレクサー１の出力端に接続された増幅器１９と、入力端が増幅器１９の出力端に接続されたフィルタ（例えば、ＳＡＷフィルタであるが限定されない）２０と、入力端がフィルタ２０の出力端に接続された受信回路部１４−１とで構成されている。送信回路部１２−１、パワーアンプ１７、及びアイソレータ２３で送信手段３が構成され、受信回路部１４−１、増幅器１９、及びフィルタ２０で受信手段４が構成されている。
【０００４】
図４に示す無線装置は、送信手段３及び受信手段４と、送受信共用アンテナ１３との間の信号の切り替えをデュプレクサー１で行っている。すなわち、デュプレクサー１は、送信手段３からの信号を送受信共用アンテナ１３に給電し、送受信共用アンテナ１３で受電した信号を受信手段４に供給する。
【０００５】
図５に示す無線装置は、アンテナの接続先を切り替えるアンテナスイッチ２と、アンテナスイッチ２のアンテナ端子に接続された送受信共用アンテナ１３と、アンテナ端子がそれぞれアンテナスイッチ１３に接続された２つのデュプレクサー１−１、１−２と、２バンドの信号を送信可能な送信回路部１２−２と、入力端が送信回路部１２−２の各出力端にそれぞれ接続された２つのパワーアンプ１７−１、１７−２と、入力端がパワーアンプ１７−１、１７−２の出力端にそれぞれ接続され、一方（図では左側）の出力端が一方（この場合左側）のデュプレクサー１−１の入力端に接続され、他方の出力端が他方（この場合右側）のデュプレクサー１−２の入力端に接続された２つのアイソレータ２３−１、２３−２と、入力端が一方のデュプレクサー１−１の出力端に接続された増幅器１９−１と、入力端が他方のデュプレクサー１−２の出力端に接続された増幅器１９−２と、入力端が一方（この場合左側）の増幅器１９−１に接続されたフィルタ２０−１と、入力端が他方（この場合右側）の増幅器１９−２に接続されたフィルタ２０−２と、入力端が２つの増幅器１９−１、１９−２の各出力端に接続された受信回路部１４−２とで構成されている。送信回路部１２−２、パワーアンプ１７−１、１７−２、アイソレータ２３−１、２３−２で送信手段５が構成され、受信回路部１４−２、フィルタ２０−１、２０−２、及び増幅器１９−１、１９―２で受信手段６が構成されている。
【０００６】
図５に示す無線装置は、送信手段５及び受信手段６と、送受信共用アンテナ１３との間の信号の切り替えをアンテナスイッチ２と２つのデュプレクサー１−１、１−２とで行っている。
アンテナスイッチ２は、バンド切替用のスイッチである。左側のデュプレクサー１−１を周波数の低い方のバンドＬＢ(Lower Band)用とし、右側のデュプレクサー１−２を周波数の高い方のバンドＵＢ(Upper Band)用とする。
アンテナスイッチ２をＬＢ側に設定すると、送信回路部１２−２からの周波数の低い方の信号がパワーアンプ１７−１、アイソレータ２３−１、及びデュプレクサー１−１、アンテナスイッチ２を介して送受信共用アンテナ１３に給電される。
送受信共用アンテナ１３で受電した電波はアンテナスイッチ２、デュプレクサー１−１、増幅器１９−１、及びフィルタ２０−１を介して受信回路部１４−２に供給される。
【０００７】
一方、アンテナスイッチ２をＵＢ側に設定すると、送信回路部１２−２からの周波数の高い方の信号がパワーアンプ１７−２、アイソレータ２３−２、及びデュプレクサー１−２、アンテナスイッチ２を介して送受信共用アンテナ１３に給電される。
送受信共用アンテナ１３で受電した電波はアンテナスイッチ２、デュプレクサー１−２、増幅器１９−２、及びフィルタ２０−２を介して受信回路部１４−２に供給される。
【０００８】
ここで採用されているデュプレクサーは同軸誘電体共振器を複数個接続して構成することが知られている。
また、４端子サーキュレータを用いた無線装置（例えば、特許文献２、３参照）が提案されている。
【特許文献１】特表平１０−５０７０４４号公報
【特許文献２】特開２００３−０１８０４１号公報
【特許文献３】特開平０８−１１１６５２号公報
【発明の開示】
【発明が解決しようとする課題】
【０００９】
ところで、近接した送受信帯の分離を行うため高いＱ値の共振構造となっているためデュプレクサーに接続されている各ブロック（アンテナ、送信部、受信部）のＶＳＷＲ（Voltage Standing Wave Ratio：電圧定在波比）が劣化すると共振周波数がずれる特性を持っている。よって所望の周波数特性を得るためには高い技術が必要となっている。
【００１０】
また、特許文献１記載の構成ではデュプレクサーの高いＱ値を用いた共振回路の最適化により、隣接した近傍周波数である送信帯域、受信帯域の分離を行い、かつ各ブロックのＶＳＷＲ劣化の補償を行ってきている。このため各ブロックの反射特性もしくは最適化、デュプレクサーの耐反射特性に携帯端末の無線特性が依存されることが多く、デュプレクサーの最適化が必要となり小型化、低価格が困難となっている。さらに、特許文献２、３に記載の技術では十分な性能が得られていない等問題点があげられる。
【００１１】
そこで、本発明の目的は、小型で安価で効率のよい接続性を有する無線装置を提供することにある。
【課題を解決するための手段】
【００１２】
上記課題を解決するため、請求項１記載の発明は、送信手段と、受信手段と、送受信信号を分離する分離手段とを備えた無線装置において、前記分離手段は、送信信号を前記送信手段よりアンテナへ伝達し、受信信号を該アンテナより前記受信手段へ伝達する方向性を有する無線装置であることを特徴とする。
【００１３】
請求項２記載の発明は、送信手段と、受信手段と、送受信信号を分離する分離手段とを備えた無線装置において、前記分離手段は、送信信号を送信端子よりアンテナへ伝達し、受信信号を該アンテナより受信端子へ伝達する方向性を有し、かつ前記送受信信号の反射信号に相対するブロックが影響されないように前記受信端子と前記送信端子との間の端子に終端抵抗器が接続された４端子サーキュレータを有することを特徴とする。
ここで、「送受信信号の反射信号に相対するブロック」とは、送信回路部からの送信信号に対する受信回路部であり、受信信号に対する送信回路部を意味する。
【００１４】
請求項３記載の発明は、送信手段と、受信手段と、送受信信号を分離する分離手段とを備えた無線装置において、前記分離手段は、送信信号を送信端子よりアンテナへ伝達し、受信信号を該アンテナより受信端子へ伝達する方向性を有し、かつ前記送受信信号の反射信号に相対するブロックが影響されないように前記受信端子と前記送信端子との間の端子に終端抵抗器が接続された４端子サーキュレータと、前記受信手段への前記受信信号を透過するフィルタとを有することを特徴とする。
【００１５】
請求項４記載の発明は、送信手段と、受信手段と、送受信信号を分離する分離手段とを備えた無線装置において、前記分離手段は、送信信号を送信端子よりアンテナへ伝達し、受信信号を該アンテナより受信端子へ伝達する方向性を有し、かつ前記送受信信号の反射信号に相対するブロックが影響されないように前記受信端子と前記送信端子との間の端子に終端抵抗器が接続された４端子サーキュレータと、前記受信手段への前記受信信号を透過する受信側フィルタと、前記送信手段からの送信信号を透過する送信側フィルタとを有することを特徴とする。
【００１６】
請求項５記載の発明は、請求項１から４のいずれか１項記載の発明において、前記送信手段は、送信周波数の異なる複数の送信回路部を有し、前記受信手段は、受信周波数の異なる複数の受信回路部を有することを特徴とする。
【００１７】
請求項６記載の発明は、請求項１から５のいずれか１項記載の発明において、前記分離手段は、前記受信手段の入力部にアイソレータが接続されていることを特徴とする。
【００１８】
すなわち、本発明は送受信の分離を終端端子をもつ４端子サーキュレータを使用することにより小型で安価な部品を使用することができ、効率のよい接続性を提供できる無線装置を実現することを特徴とする。
【発明の効果】
【００１９】
本発明によれば、分離手段が送信信号を送信手段よりアンテナへ伝達し、受信信号をアンテナより受信手段へと伝達する方向性を有することで、高価なデュプレクサーを用いることなく、近傍周波数の送受信信号を分離することができ、小型で安価で効率のよい接続性を有する無線装置の提供を実現することができる。
【発明を実施するための最良の形態】
【００２０】
本発明に係る無線装置の一実施の形態は、送信手段と、受信手段と、送受信信号を分離する分離手段とを備えた無線装置において、分離手段は、送信信号は送信手段よりアンテナへ伝達し、受信信号はアンテナより受信手段へと伝達する方向性を有することを特徴とする。
アンテナとしては、例えば、ループアンテナ、ホイップアンテナ、パッチアンテナ、スロットアンテナ等が用いられる。
【００２１】
上記構成によれば、分離手段が送信信号を送信手段よりアンテナへ伝達し、受信信号をアンテナより受信手段へと伝達する方向性を有することで、高価なデュプレクサーを用いることなく、近傍周波数の送受信信号を分離することができ、小型で安価で効率のよい接続性が得られる。また、高いＱ値を用いた共振デュプレクサーを用いることなく近傍周波数の送受信波を分離することができる。さらに、各部品のＶＳＷＲに対し耐反射性が向上し部品の最適化を行う必要がなくなる。
【００２２】
ここで、「各部品のＶＳＷＲ」とあるが、全ての部品において反射＝定在波となり、使用周波数においては５０Ω整合されていると仮定すると、反射はないもののその他の周波数においても５０Ω整合されているとは限らない。よって、全ての周波数を鑑みると全ての部品端で反射が生じていると考えられる。このため、「各部品のＶＳＷＲ」を考慮した。
【００２３】
またデュプレクサーに比べＱ値の高くないフィルタを送信出力部、受信回路入力部に互いに影響が少なく配置することができ、安価で小型な部品で無線特性を満足する構成ができる。
【００２４】
本発明に係る無線装置の他の実施の形態は、送信手段と、受信手段と、送受信信号を分離する分離手段とを備えた無線装置において、分離手段は、送信信号を送信端子よりアンテナへ伝達し、受信信号をアンテナより受信端子へ伝達する方向性を有し、かつ送受信信号の反射信号に相対するブロックが影響されないように受信端子と送信端子との間の端子に終端抵抗器が接続された４端子サーキュレータを有することを特徴とする。
【００２５】
上記構成によれば、分離手段が送信信号を送信手段よりアンテナへ伝達し、受信信号をアンテナより受信手段へと伝達する方向性を有することで、高価なデュプレクサーを用いることなく、近傍周波数の送受信信号を分離することができ、小型で安価で効率のよい接続性が得られる。また、送受信の分離を４端子サーキュレータで行うため、送信、受信側のフィルタ特性の相互影響が少なくなり、フィルタ特性の緩和、小型化、安価が可能となる。
【００２６】
本発明に係る無線装置の他の実施の形態は、送信手段と、受信手段と、送受信信号を分離する分離手段とを備えた無線装置において、分離手段は、送信信号を送信端子よりアンテナへ伝達し、受信信号をアンテナより受信端子へ伝達する方向性を有し、かつ送受信信号の反射信号に相対するブロックが影響されないように受信端子と送信端子との間の端子に終端抵抗器が接続された４端子サーキュレータと、受信手段への受信信号を透過するフィルタとを有することを特徴とする。
【００２７】
上記構成によれば、分離手段が送信信号を送信手段よりアンテナへ伝達し、受信信号をアンテナより受信手段へと伝達する方向性を有することで、高価なデュプレクサーを用いることなく、近傍周波数の送受信信号を分離することができ、小型で安価で効率のよい接続性が得られる。また、送受信の分離を４端子サーキュレータで行うため、送信、受信側のフィルタ特性の相互影響が少なくなり、フィルタ特性の緩和、小型化、安価が可能となる。
【００２８】
本発明に係る無線装置の他の実施の形態は、送信手段と、受信手段と、送受信信号を分離する分離手段とを備えた無線装置において、分離手段は、送信信号を送信端子よりアンテナへ伝達し、受信信号をアンテナより受信端子へ伝達する方向性を有し、かつ送受信信号の反射信号に相対するブロックが影響されないように受信端子と送信端子との間の端子に終端抵抗器が接続された４端子サーキュレータと、受信手段への受信信号を透過する受信側フィルタと、送信手段からの送信信号を透過する送信側フィルタとを有することを特徴とする。
【００２９】
上記構成によれば、分離手段が送信信号を送信手段よりアンテナへ伝達し、受信信号をアンテナより受信手段へと伝達する方向性を有することで、高価なデュプレクサーを用いることなく、近傍周波数の送受信信号を分離することができ、小型で安価で効率のよい接続性が得られる。また、送受信の分離を４端子サーキュレータで行うため、送信、受信側のフィルタ特性の相互影響が少なくなり、フィルタ特性の緩和、小型化、安価が可能となる。
【００３０】
本発明に係る無線装置の他の実施の形態は、上記構成に加え、送信手段は、送信周波数の異なる複数の送信回路部を有し、受信手段は、受信周波数の異なる複数の受信回路部を有することを特徴とする。
【００３１】
上記構成によれば、バンド数の増加に伴う回路構成の小型化、最適化、簡素化が容易となる。送受信の分離を送受信共用アンテナの次のブロックで行うことができるため従来の構成に比べ送受信の干渉が低減され、バンド数が増加した場合効果的となる。
【００３２】
本発明に係る無線装置の他の実施の形態は、上記構成に加え、分離手段は、受信手段の入力部にアイソレータが接続されていることを特徴とする。
【００３３】
上記構成によれば、送信手段からの送信信号の反射波の送信手段への影響を抑止することができる。
【００３４】
なお、上述した実施の形態は、本発明の好適な実施の形態の一例を示すものであり、本発明はそれに限定されることなく、その要旨を逸脱しない範囲内において、種々変形実施が可能である。
【実施例１】
【００３５】
次に本発明に係る無線装置の一実施例について述べる。
〔構  成〕
図１は、本発明に係わる無線装置の一実施例としての１バンド用携帯端末装置の回路構成の要部を示すブロック図である。
【００３６】
同図に示す１バンド用携帯端末装置は、信号を端子Ａから端子Ｂへ、端子Ｂから端子Ｃへ、端子Ｃから端子Ｄへ、端子Ｄから端子Ａへ伝達する方向性を有する４端子サーキュレータ１１と、送信回路部１２−１と、送信回路部１２−１の信号を増幅するパワーアンプ１７と、パワーアンプ１７からの信号のうち不要な高調波を減衰させ、出力端が端子Ａに接続されたローパスフィルタ１６と、４端子サーキュレータ１１の端子Ｂに接続された送受信共用アンテナ１３と、入力端が４端子サーキュレータ１１の端子Ｃに接続され送信信号を透過せず受信信号のみ透過させるバンドパスフィルタ１８と、入力端がバンドパスフィルタ１８の出力端に接続された増幅器１９と、入力端が増幅器１９の出力端に接続されたフィルタ２０と、入力端がフィルタ２０の出力端に接続された受信回路部１４−１と、一端（図では上端）が端子Ｄに接続され他端（この場合下端）が接地された終端抵抗器（例えば、５０Ω）１５とで構成されている。
【００３７】
送信回路部１２、ローパスフィルタ１６、及びパワーアンプ１７で送信手段２１−１が構成され、受信回路部１４、バンドパスフィルタ１８、増幅器１９、及びフィルタ２０で受信手段２２−１が構成されている。
【００３８】
〔動  作〕
送信回路部１２−１の出力部（この場合ローパスフィルタ１６の出力端）においては、４端子サーキュレータ１１は方向性を有するので端子Ｄの反射に影響されるが、端子Ｄは５０Ω終端されて反射されないため、送信回路部１２−１自体および受信回路部２２−１自体の反射波の影響はない。このため安定な送信出力特性を得ることができる。
ローパスフィルタ１６は、パワーアンプ１７で発生する不要な高調波を除去する。
【００３９】
受信回路部１４−１の入力部（この場合バンドパスフィルタ１８の入力端）においては、４端子サーキュレータ１１の方向性より、端子Ａの送信信号が送受信共用アンテナ１３の端部で反射の影響をうけるが、受信回路部１２−１の入力部に送信信号を透過せず受信信号のみ透過するバンドパスフィルタ１８を挿入し、バンドパスフィルタ１８で使用周波数以外の不要な電波、例えば送信波を反射させ端子Ｄの５０Ω終端（終端抵抗器１５）で吸収することにより、所望の受信信号のみを受信回路部１４に入力することができる。
【００４０】
端的にいえば、送信部（端子Ａ）と受信部（端子Ｄ）との間の双方向の影響をなくすために５０Ω終端抵抗器１５が機能しているのである。
【実施例２】
【００４１】
次に本発明に係る無線装置の他の実施例について述べる。
〔構  成〕
図２は、本発明に係わる無線装置の他の実施例としての１バンド用携帯端末装置の回路構成の要部を示すブロック図である。
図２に示す実施例の図１に示した実施例との相違点は、ローパスフィルタとパワーアンプとの間にアイソレータを設けた点である。
【００４２】
すなわち、図２に示す１バンド用携帯端末装置は、信号を端子Ａから端子Ｂへ、端子Ｂから端子Ｃへ、端子Ｃから端子Ｄへ、端子Ｄから端子Ａへ伝達する方向性を有する４端子サーキュレータ１１と、送信回路部１２−１と、送信回路部１２−１の信号を増幅するパワーアンプ１７と、入力端がパワーアンプ１７の出力端に接続されたアイソレータ２３と、入力端がアイソレータ２３の出力端に接続され、パワーアンプ１７からの信号のうち不要な高調波を減衰させ、出力端が端子Ａに接続されたローパスフィルタ１６と、端子Ｂに接続された送受信共用アンテナ１３と、入力端が端子Ｃに接続され送信信号を透過せず受信信号のみ透過させるバンドパスフィルタ１８と、入力端がバンドパスフィルタ１８の出力端に接続された増幅器１９と、入力端が増幅器１９の出力端に接続されたフィルタ２０と、入力端がフィルタ２０の出力端に接続された受信回路部１４−１と、一端が端子Ｄに接続され他端が接地された終端抵抗器（例えば、５０Ω抵抗器）１５とで構成されている。
【００４３】
〔動  作〕
このような無線装置においても図１に示した無線装置と同様の効果が得られ、アイソレータ２３を用いることにより、パワーアンプ１７への送信信号の反射波が入射することが抑止され、信頼性の向上を図ることができる。
【実施例３】
【００４４】
次に本発明に係る無線装置の他の実施例について述べる。
〔構  成〕
図３は、本発明に係わる無線装置の他の実施例としての多バンド用携帯端末装置の回路構成の要部を示すブロック図である。
図３に示す実施例の図１に示した実施例との相違点は、送信手段は、送信周波数の異なる複数の送信回路部を有し、受信手段は、受信周波数の異なる複数の受信回路部を有する点である。
【００４５】
すなわち、本実施例のサーキュレータ接続は図１と同様であるが、送信回路部２２−２の出力部には各送信バンド信号を透過するバンドパスフィルタ１８−１、１８−２からなるフィルタ群１８ａを有する点で相違する。また、受信回路部１４−２の入力部には各受信バンド信号を透過するバンドパスフィルタ１８−３、１８−４からなるフィルタ群１８ｂを有する点で相違する。
【００４６】
〔作  用〕
周波数の低い方のバンドをＬＢとし、周波数の高い方のバンドをＵＢとする。
送信回路部１２−２からの周波数の低い方の信号がパワーアンプ１７−１、アイソレータ２３−１、及びバンドパスフィルタ１８−１、４端子サーキュレータ１１を介して送受信共用アンテナ１３に給電される。
送受信共用アンテナ１３で受電した電波は４端子サーキュレータ１１、バンドパスフィルタ１８−３、増幅器１９−１、及びフィルタ２０−１を介して受信回路部１４−２に供給される。
【００４７】
一方、送信回路部１２−２からの周波数の高い方の信号がパワーアンプ１７−２、アイソレータ２３−２、４端子サーキュレータ１１を介して送受信共用アンテナ１３に給電される。
送受信共用アンテナ１３で受電した電波は４端子サーキュレータ１１、バンドパスフィルタ１８−４、増幅器１９−２、及びフィルタ２０−２を介して受信回路部１４−２に供給される。
同図に示すような構成により、高価なデュプレクサーを用いることなく、近傍周波数の送受信信号を分離することができ、小型で安価で効率のよい接続性を有するとともに、安定な送信出力特性を得ることができる。
【００４８】
本実施例では、２バンド送受信の場合を一例として説明しているが、バンド数が増えても同様の効果が得られる。
更に本実施例では、送信出力端において、端子Ｄは５０Ω終端されているため送信回路部１２−２自体および受信回路部１４−２自体の反射波の影響がないことより、送信回路部１２−２中のパワーアンプ出力のアイソレータ２３−１、２３−２と同等の動作も併せ持つことができる。
【００４９】
また、バンド数が増えるに従い、送受信回路部１２−２、１４−２に所望の信号を透過するフィルタを追加することで同様の効果が得られる。
また、バンド間は十分離れているため隣接した送受信信号に分離するような高いＱ値で複雑な構成のデュプレクサーに比べ、比較的簡易なフィルタを使用することができ、バンドを切り替えるためのスイッチ（例えば、双極双投スイッチ）が不要となる。
【００５０】
尚、上述した実施例では終端抵抗器に５０Ωの抵抗器を用いたが、終端としてはスタブ等一般的に終端器として用いられているものであってもよい。
【００５１】
〔効果の説明〕
以上説明したように本発明によれば以下の効果が得られる。
・高いＱ値を用いた共振デュプレクサーを用いることなく近傍周波数の送受信波を分離することができる。
【００５２】
・各部品のＶＳＷＲに対し耐反射性が向上し部品の最適化を行う必要がなくなる。
【００５３】
・また送受信の分離を４端子サーキュレータで行うため、送信、受信側のフィルタ特性の相互影響が少なくなり、フィルタ特性の緩和、小型化、安価が可能となる。
【００５４】
・バンド数の増加に伴う回路構成の小型化、最適化、簡素化が容易となる。
【００５５】
・送受信の分離を送受信共用アンテナの次のブロックで行うことができるため従来の構成に比べ送受信の干渉が低減され、バンド数が増加した場合効果的となる。
【００５６】
・またデュプレクサーに比べQ値の高くないフィルタを送信出力部及び受信回路入力部に互いに影響が少なく配置することができ、安価で小型な部品で無線特性を満足する構成ができる。
【産業上の利用可能性】
【００５７】
本発明は、携帯電話機、ＰＨＳ（Personal Handy phone System）、ＰＤＡ（Personal Data Assistance，Personal Digital Assistants：個人向け携帯型情報通信機器）等の同時送受信が可能な無線装置に利用することができる。
【図面の簡単な説明】
【００５８】
【図１】本発明に係わる無線装置の一実施例としての１バンド用携帯端末装置の回路構成の要部を示すブロック図である。
【図２】本発明に係わる無線装置の他の実施例としての１バンド用携帯端末装置の回路構成の要部を示すブロック図である。
【図３】本発明に係わる無線装置の他の実施例としての多バンド用携帯端末装置の回路構成の要部を示すブロック図である。
【図４】無線装置の従来例を示すブロック図である。
【図５】無線装置の他の従来例を示すブロック図である。
【符号の説明】
【００５９】
１１    ４端子サーキュレータ
１２    送信回路部
１３    送受信共用アンテナ
１４    受信回路部
１５    終端抵抗器
【図１】
2007274465.tif 000003
【図２】
2007274465.tif 000004
【図３】
2007274465.tif 000005
【図４】
2007274465.tif 000006
【図５】
2007274465.tif 000007